(57)【要約】【課題】既設の自動ドア装置への後付けが容易で、安価に設置できる、こじ開け防止用のロック装置を提供する。【解決手段】ロック装置１は、左右ドア体Ｄに螺合固着される係止部材２と、これに係脱する掛金体３と、これに固着されるプッシュロック装置４とを具備する。係止部材２は、左右ドア体Ｄの前面に固着される。プッシュロック装置４は、掛金体３から係止部材２に向かってロックピン４３を出没させて、これ係脱自在である。係止部材２の鍔部２３とドア体Ｄとの間には係合間隙５が形成される。掛金体３は、支持板部３１と、係合片３２，３３，３４，３５とを具備する。係合片３２〜３５が間隙５に介入し、掛金体３を係止部材２に結合する。プッシュロック装置４のロックピン４３が係合穴２４に挿入された状態で施錠することにより、掛金体３を２つの係止部材２間に錠止し、一対のドア体Ｄを結合して開放を阻止する。【選択図】図１
2011256588.tif 000002
【特許請求の範囲】
【請求項１】
閉鎖位置において端部が互いに突き合わされる左右一対のドア体を備える引き戸式自動ドア装置において、左右ドア体を閉鎖位置で拘束して錠止するためのロック装置であって、
左右ドア体の突き合わせ側端部付近の室内側面である前面にそれぞれ螺合固着される係止部材と、これらの係止部材に対し係合離脱自在の掛金体と、この掛金体に固着され掛金体を貫通して一方の係止部材に向かってロックピンを出没自在のプッシュロック装置とを具備し、
前記係止部材は、前記ドア体の前面から起立する軸部と、この軸部の先端側に前記ドア体の前面との間に係合間隙を形成するように設けられる鍔部とを具備し、一方の係止部材の鍔部の中央には前記ロックピンを受けるように前面に開口する係合穴を有し、
前記掛金体は、装着時に前記２つの係止部材の鍔部の前面に対面する矩形の支持板部と、この支持板部の上辺と、左右側辺と、一方の側辺に連続する下辺の一部とに沿って裏面側周縁部に設けられ前記係合間隙に介入することによって掛金体を係止部材に対して前方へ移動不可能に結合する第１ないし第4の係合片とを具備し、
前記プッシュロック装置は、前記掛金体の第１、第３及び第４の係合片が、他方の前記係止部材の軸部周り上方、外側方及び下方の三方の係合間隙に介入すると共に、第１及び第２の係合片が、一方の前記係止部材の軸部周り上方及び外側方の二方の係合間隙に介入した状態で、前記ロックピンが一方の係止部材の係合穴に挿入されるように掛金体上に配置され、ロックピンが係合穴に挿入された状態で施錠により掛金体を２つの係止部材間に錠止し、一対のドア体の開放を阻止することを特徴とする引き戸式自動ドア装置のロック装置。
【請求項２】
前記掛金体は、それの前記第１、第３及び第４の係合片が、他方の前記係止部材の係合間隙に介入した状態で、当該係止部材の軸周りに回転させることにより、前記第１及び第２の係合片が一方の前記係止部材の係合間隙に抜き差し可能となる位置関係に設定されることを特徴とする請求項１に記載の引き戸式自動ドア装置のロック装置。
【発明の詳細な説明】
【技術分野】
【０００１】
この発明は、建物の出入り口に設けられる引き戸式の自動ドア装置において、一対のドア体を閉鎖位置において錠止するロック装置に関し、更に詳しくは、施錠状態の一対のドア体が強制的にガイド溝から持ち上げられても両者の結合が外れることがない、自動ドアのこじ開け防止用のロック装置に係るものである。
【背景技術】
【０００２】
建物の出入り口となる開口部に左右一対のドア体を設け、このドア体を自動開閉機構により開口部の幅方向（左右方向）に開閉作動させるようにした引き戸式の自動ドア装置が知られている。このような自動ドア装置においては、ドア体の戸先側に、下方に向けて出没自在にロック体が設けられ、ドア体の移動案内をするガイド溝にロック受けが設けられる。全閉姿勢のドア体から下方に向けて突出するロック体が、ロック受けに係合することにより、ドア体の開放規制を行う。ところが、このようなロック装置においては、ドア体をバール等で強くこじ上げるような動作があった場合には、ロック体とロック受けとの係合が解除されることがあり、この状態でドア体を開方向へ移動させるとドアが開放してしまう。
その対策の一例として、ドア体の下部に設けた係合部と、ガイド溝内に設けた被係合部とを備えた自動ドア装置であって、係合部と被係合部に、ドア体を全閉状態で上方移動させようとした際に係合してこれを阻止すると共に、同ドア体を上方移動と同時に開方向移動させようとした際にも係合してこれを阻止するように、それぞれに上下で対向するフック部が形成されたものが知られている（例えば、特許文献１参照）。
【先行技術文献】
【特許文献】
【０００３】
【特許文献１】特開平１１−３３６４１０号公報
【発明の概要】
【発明が解決しようとする課題】
【０００４】
前記従来のものは、ドア体の下端面にロック片を固定する構成となっている。このため、ドア体を新規に設置する場合には適用に大きな問題はないが、既設のドア装置へ後付けで適用しようとする場合には、ドア体をガイドレールから取り外し、ドア体とガイドレールとにそれぞれロック片を設けなければならず、作業に大きな手数を要し、速やかな対応が困難であり、またコスト高になるという問題点がある。ここに本発明の解決すべき課題がある。
したがって、この出願に係る発明は、既設の自動ドア装置への後付けが容易で、安価に設置できるこじ開け防止用のロック装置を提供することを目的としている。
【課題を解決するための手段】
【０００５】
以下、添付図面の符号を参照して説明するが、本発明はこれに限定されるものではない。
上記課題を解決するための、この出願に係る発明のロック装置１は、左右ドア体Ｄを閉鎖位置で拘束して錠止する装置であり、左右ドア体Ｄにそれぞれ螺合固着される係止部材２と、これらの係止部材２に対し係合離脱自在の掛金体３と、掛金体３に固着されるプッシュロック装置４とを具備する。係止部材２は、左右ドア体Ｄの突き合わせ側端部付近の室内側面（前面）にそれぞれ固着される。プッシュロック装置４は、掛金体３を貫通して一方の係止部材２に向かってロックピン４３を出没させることにより、係止部材２に対し係合離脱自在である。係止部材２は、ドア体Ｄの前面から起立する軸部２２と、この軸部２２の先端側に設けられる鍔部２３とを具備する。鍔部２３とドア体Ｄの前面との間には係合間隙５が形成される。一方の係止部材２の鍔部２３の中央には、ロックピン４３を受けるように前面に開口する係合穴２４が設けられる。掛金体３は、矩形の支持板部３１と、この支持板部３１の裏面側周縁部に設けられる第１ないし第4の係合片３２，３３，３４，３５とを具備する。支持板部３１は、装着時に２つの係止部材２の鍔部２３の前面に対面する。第１の係合片３２は、支持板部３１の上辺３１ａに沿って、第２、第３の係合片３３，３４は、支持板部３１の左右側辺３１ｂ、３１ｃに沿って、また第４の係合片３５は、一方の側辺３１ｃに連続する下辺３１ｄの一部に沿って設けられる。係合片３２〜３５は、係合間隙５に介入することによって掛金体３を係止部材２に対して前方へ移動不可能に結合する。プッシュロック装置４は、掛金体３の第１、第３及び第４の係合片３２，３４，３５が他方の係止部材２の軸部２２周り三方の係合間隙５に介入すると共に、第１及び第２の係合片３２，３３が一方の係止部材２の軸部２２周り二方の係合間隙５に介入した状態で、ロックピン４３が一方の係止部材２の係合穴２４に挿入されるように掛金体３上に配置される。ロックピン４３が係合穴２４に挿入された状態で施錠することにより、掛金体３を２つの係止部材２間に錠止し、左右一対のドア体Ｄを結合して開放を阻止する。
【発明の効果】
【０００６】
この出願に係る発明の装置は、構造が極めて簡単で、安価に得られ、既設の自動ドア装置へ後付けする場合に、ドア体の前面側に係止部材を螺合固着するだけで、極めて容易に取り付けが完了し、それにより、自動ドアのこじ開けを有効に阻止することができる。
【図面の簡単な説明】
【０００７】
【図１】本発明に係る引き戸式自動ドア装置のロック装置の分解斜視図である。
【図２】図１のロック装置における係止部材の取り付け状態の平面図である。
【図３】図１のロック装置における掛金体の背面図である。
【図４】図１のロック装置における掛金体の斜視図である。
【図５】図１のロック装置の正面図である。
【図６】図５におけるVI−VI断面図である。
【発明を実施するための形態】
【０００８】
図面を参照してこの発明の実施の形態を説明する。
ロック装置１は、閉鎖位置において端部が互いに突き合わされる左右一対のドア体Dを備える引き戸式自動ドア装置において、左右ドア体Dを閉鎖位置で拘束して錠止するための装置である。
【０００９】
ロック装置１は、係止部材２と、掛金体３と、プッシュロック装置４とを具備する。係止部材２は、左右ドア体Dの突き合わせ側端部付近の室内側面（前面）にそれぞれ固着される。掛金体３は、係止部材２に対し係合離脱自在である。プッシュロック装置４は、掛金体３に固着され、掛金体３を貫通して一方の係止部材２に向かってロックピン４１を出没自在に構成される。
【００１０】
係止部材２は、ドア体Dに螺合されるねじ部２１と、これに続く軸部２２と、円盤状の鍔部２３とを具備する。係止部材２をドア体D への装着した状態において、軸部２２がドア体Dの前面から起立し、鍔部２３とドア体Dの前面との間には、係合間隙５が形成される。鍔部２３の中央には、ロックピンを受けるように前面に開口する係合穴２４が形成される。係合穴２４は、一方の係止部材（図１において左の係止部材）のみに設けられていれば足りるが、部品の汎用化のために、図示の実施形態では、両係止部材２が係合穴２４を有する。
【００１１】
掛金体３は矩形の支持板部３１と、この支持板部の裏面側（装着時の係止部材側）周縁部に設けられる第１ないし第4の係合片３２，３３，３４，３５とを具備する。支持板部３１は、装着時に２つの係止部材２の鍔部２３の前面に対面する。第１の係合片３２は、支持板部３１の上辺３１aに沿って、第２，第３の係合片３３，３４は、左右の側辺３１ｂ，３１ｃに沿って、第４の係合片３５は、一方の側辺３１ｃに連続する下辺３１ｄの一部に沿って設けられる。すなわち、支持板部３１の周縁には、各係合片３２〜３５に対応する位置に、支持板部３１から裏面方向へ直角に起立する起立片３６が設けられ、この起立片３６の端縁から直角に、支持板部３１に対して平行に各係合片３２〜３５が延出している。係合片３２〜３５は、係止部材２とドア体Ｄとの間に形成される係合間隙５に介入することによって掛金体３を係止部材２に対して前方へ移動不可能に結合する。
【００１２】
プッシュロック装置４は、掛金体３に固着される円筒状固定ケース４１と、固定ケース４１に軸線方向に移動可能および回転可能に収容されたロックシリンダ４２と、ロックシリンダからケース４１の後方へ突出するロックピン４３とを具備する。ロックシリンダ４２は、解錠状態において固定ケース４１の前面側に所定長さ突出しており、ロックピン４３の先端は掛金体３の貫通孔３１ｅに対面するように配置されている。ロックシリンダ４２を固定ケース４１に押し込むことによって、ロックピン４３を掛金体３から後方へ突出させると、ロックシリンダ４２が固定ケース４１に対して自動的に錠止される。キー４４をロックシリンダ４２に挿入して、固定ケース４１に対するロックシリンダ４２の錠止を解除すると、内蔵バネの付勢によってロックシリンダ４２が固定ケース３３から前方へ突出し、ロックピン４３が没入する。
【００１３】
掛金体３の第１、第３及び第４の係合片３２，３４，３５が、他方（図５において右側）の係止部材２の軸部２２周りの上方、外（右）側方及び下方の三方の係合間隙５に介入すると共に、第１及び第２の係合片３２，３３が、一方（左側）の係止部材２の軸部２２周りの上方及び外（左）側方の二方の係合間隙５に介入した状態で、ロックピン４３が係止部材２の係合穴２４に挿入されるように、プッシュロック装置４が掛金体３上に配置される。
【００１４】
ロックピン４３が係合穴２４に挿入された状態で施錠されると、掛金体３が２つの係止部材２間に錠止され、したがって、一対のドア体Ｄ間の開放動作が阻止されることになる。
【００１５】
なお、掛金体３を係止部材２に係合させるときには、図５に仮想線で示すように、先に第１、第３及び第４の係合片３２，２４，２５を右側の係止部材２の係合間隙５に介入させた状態で、当該係止部材２の軸周りに掛金体３を反時計方向へ回転させることにより、第１及び第２の係合片３２，３３を左側の係止部材２の係合間隙５に介入させる。取り外すときは、この逆の手順で操作する。
【００１６】
ドア体Ｄにこのロック装置１が装着されると、閉鎖状態で、ドア体がバール等で強くこじ上げられ、ドア体Ｄのロック体とガイドレール側のロック受け（いずれも図示しない）との係合が解除されることがあっても、一対のドア体Ｄが掛金体３で結合されているので、これを開方向へ移動させることができない。
【符号の説明】
【００１７】
１    ロック装置
２    係止部材
２１  ねじ部
２２  軸部
２３  鍔部
２４  係合穴
３    掛金体
３１  支持板部
３１ａ  上辺
３１ｂ  側辺
３１ｃ  側辺
３１ｄ  下辺
３２  第１の係合片
３３  第２の係合片
３４  第３の係合片
３５  第４の係合片
４    プッシュロック装置
４１  固定ケース
４２  シリンダ
４３  ロックピン
４４  キー
５    係合間隙
【図１】
2011256588.tif 000003
【図２】
2011256588.tif 000004
【図３】
2011256588.tif 000005
【図４】
2011256588.tif 000006
【図５】
2011256588.tif 000007
【図６】
2011256588.tif 000008